(57)【要約】【課題】遮蔽部材の形状による装飾性を向上可能とした遮蔽装置を提供する。【解決手段】スクリーン１２と、スクリーン１２の下方に位置して各々が独立している２体のウェイトバー１３Ｒ，１３Ｌと、各ウェイトバー１３Ｒ，１３Ｌの長手方向の両端部のうち、一端部のみで各ウェイトバー１３Ｒ，１３Ｌを昇降する昇降コード１４Ｒ，１４Ｌとを備える。昇降コード１４Ｒ，１４Ｌは、各各ウェイトバー１３Ｒ，１３Ｌに１つずつである。【選択図】図１
2019002128.tif 000002
【特許請求の範囲】
【請求項１】
遮蔽部材と、
前記遮蔽部材の下方に位置して各々が独立している２以上のレールと、
前記各レールの長手方向の両端部のうち一端部のみで前記各レールを昇降する昇降部と、を備える
遮蔽装置。
【請求項２】
前記昇降部は、前記各レールに１本ずつの昇降コードである
請求項１に記載の遮蔽装置。
【請求項３】
前記昇降コードは、前記一端部の上面から上方に延びる
請求項２に記載の遮蔽装置。
【請求項４】
前記各レールに１つずつの前記遮蔽部材を備え、
前記昇降コードを操作する操作コードをさらに備え、
前記昇降コードは、前記遮蔽部材の一端部に位置し、
前記操作コードは、前記遮蔽部材の他端部と対向する
請求項２または３に記載の遮蔽装置。
【請求項５】
前記遮蔽部材は、折り畳み可能な筒体が上下方向に多数連なる構造を備え、
前記各筒体は、下面を有し、
前記昇降コードは、前記各筒体の前記下面を通っている
請求項２から４のいずれか一項に記載の遮蔽装置。
【請求項６】
前記遮蔽部材はスクリーンである
請求項１から５のいずれか一項に記載の遮蔽装置。
【請求項７】
折り畳み可能な筒体が上下方向に多数連なる構造を備えた遮蔽部材と、
前記遮蔽部材の下方に位置するレールと、
前記レールの長手方向の両端部のうち一端部のみで前記レールを昇降して前記筒体を水平方向に対して傾斜させる昇降部と、を備える
遮蔽装置。
【請求項８】
前記筒体の長手方向の端部は、前記レールの下降によって開く開口を備え、
前記筒体は、前記水平方向に対して傾斜したときに前記開口が下方を向くように構成されている
請求項７に記載の遮蔽装置。
【請求項９】
前記昇降部は、昇降コードであり、
前記昇降コードは、前記一端部の上面から上方に延びる
請求項７または８に記載の遮蔽装置。
【発明の詳細な説明】
【技術分野】
【０００１】
本発明は、昇降部によってレールを昇降させる遮蔽装置に関する。
【背景技術】
【０００２】
遮蔽装置の一例であるプリーツスクリーンは、１体のヘッドボックスと１体の下部レールとを備える。ヘッドボックスから吊り下げられる昇降コードは、下部レールに接続されて下部レールを昇降させる。ヘッドボックスと下部レールとに接続されたスクリーンは、下部レールの延びる方向を水平方向に保ちながら、下部レールの昇降に従って昇降する（例えば、特許文献１）。
【先行技術文献】
【特許文献】
【０００３】
【特許文献１】特開２０１４−１６３１３１号公報
【発明の概要】
【発明が解決しようとする課題】
【０００４】
ところで、下部レールの延びる方向を水平方向に保ちながら下部レールを昇降させる昇降装置では、下部レールが上昇する場合であれ、下部レールが下降する場合であれ、遮蔽部材の形状は、遮蔽装置の正面から見て、常にシンプルな矩形状を保ち続ける。そのため、上述した遮蔽装置では、遮蔽部材の形状による装飾性の向上が強く望まれている。
本発明の目的は、遮蔽部材の形状による装飾性を向上可能とした遮蔽装置を提供することである。
【課題を解決するための手段】
【０００５】
上記課題を解決するための遮蔽装置は、遮蔽部材と、前記遮蔽部材の下方に位置して各々が独立している２以上のレールと、前記各レールの長手方向の両端部のうち一端部のみで前記各レールを昇降する昇降部と、を備える。
上記遮蔽装置において、前記昇降部は、前記各レールに１本ずつの昇降コードであってもよい。
上記遮蔽装置において、前記昇降コードは、前記一端部の上面から上方に延びてもよい。
【０００６】
上記遮蔽装置において、前記各レールに１つずつの前記遮蔽部材を備え、前記昇降コードを操作する操作コードをさらに備え、前記昇降コードは、前記遮蔽部材の一端部に位置し、前記操作コードは、前記遮蔽部材の他端部と対向してもよい。
上記遮蔽装置において、前記遮蔽部材はスクリーンであってもよい。
【０００７】
上記遮蔽装置において、折り畳み可能な筒体が上下方向に多数連なる構造を備え、前記各筒体は、下面を有し、前記昇降コードは、前記各筒体の前記下面を通ってもよい。
【０００８】
上記課題を解決するための遮蔽装置は、折り畳み可能な筒体が上下方向に多数連なる構造を備えた遮蔽部材と、前記遮蔽部材の下方に位置するレールと、前記レールの長手方向の両端部のうち一端部のみで前記レールを昇降して前記筒体を水平方向に対して傾斜させる昇降部と、を備える。
上記遮蔽装置において、前記筒体の長手方向の端部は、前記レールの下降によって開く開口を備え、前記筒体は、前記水平方向に対して傾斜したときに前記開口が下方を向くように構成されてもよい。
上記遮蔽装置において、前記昇降部は、昇降コードであり、前記昇降コードは、前記一端部の上面から上方に延びてもよい。
【図面の簡単な説明】
【０００９】
【図１】遮蔽装置の一実施形態における正面構造を示す正面図。
【図２】ボトムレールが最上位置に到達する過程の状態を示す作用図。
【図３】ボトムレールが最上位置に到達した状態を示す作用図。
【図４】（ａ）（ｂ）開状態のスクリーンにおける正面図および側面図。
【図５】第１変形例の遮蔽装置における正面構造を示す正面図。
【図６】ボトムレールが最上位置に到達する過程の状態を示す作用図。
【図７】ボトムレールが最上位置に到達した状態を示す作用図。
【図８】第２変形例の遮蔽装置における正面構造を示す正面図。
【図９】遮蔽装置の第２実施形態における正面構造を示す正面図。
【図１０】ボトムレールが最上位置に到達する過程の状態を示す作用図。
【図１１】ボトムレールが最上位置に到達した状態を示す作用図。
【図１２】第３変形例の遮蔽装置における正面構造を示す正面図。
【図１３】第３変形例のボトムレールが最上位置に到達する過程の状態を示す作用図。
【図１４】第３変形例のボトムレールが最上位置に到達した状態を示す作用図。
【発明を実施するための形態】
【００１０】
（第１実施形態）
遮蔽装置の第１実施形態について、図１から図３を参照して説明する。
図１が示すように、遮蔽装置は、２体のヘッドボックス１１Ｒ，１１Ｌと、遮蔽部材の一例である２体のスクリーン１２Ｒ,１２Ｌと、レールの一例である２体のウェイトバー１３Ｒ，１３Ｌと、２本の昇降コード１４Ｒ，１４Ｌとを備える。
【００１１】
右側スクリーン１２Ｒは、右側ヘッドボックス１１Ｒと右側ウェイトバー１３Ｒとに接続されている。左側スクリーン１２Ｌは、左側ヘッドボックス１１Ｌと左側ウェイトバー１３Ｌとに接続されている。各スクリーン１２Ｒ,１２Ｌは、それに接続されるウェイトバー１３Ｒ，１３Ｌの荷重を受け、各ウェイトバー１３Ｒ，１３Ｌを水平にした閉状態で、各ヘッドボックス１１Ｒ，１１Ｌに吊り下げられている。
【００１２】
各スクリーン１２は、図面左右方向から見て、ハニカム状の筒体を上下方向に連ねるハニカムスクリーン（図４参照）である。なお、スクリーンは、山折りと谷折りとを上下方向に交互に繰り返されるプリーツを採用することも可能である。
各ウェイトバー１３Ｒ，１３Ｌの長手方向である左右方向での長さは、それが接続されるスクリーン１２Ｒ,１２Ｌの左右方向での長さとほぼ等しい。
【００１３】
右側昇降コード１４Ｒは、右側ウェイトバー１３Ｒの左右方向での一端部１３ＲＥ（左端部）から、右側ウェイトバー１３Ｒの外部に引き出されている。右側ウェイトバー１３Ｒの一端部１３ＲＥは、右側ウェイトバー１３Ｒの左右方向での両端部のうち、左側ウェイトバー１３Ｌと対向する側（左側）の端部である。
【００１４】
右側昇降コード１４Ｒは、右側ウェイトバー１３Ｒの一端部１３ＲＥでの上端面から引き出されている。右側昇降コード１４Ｒは、右側ウェイトバー１３Ｒの一端部１３ＲＥから上方へ延び、右側スクリーン１２Ｒの左端部を通り、それによって、右側ウェイトバー１３Ｒの一端部１３ＲＥと、右側ヘッドボックス１１Ｒとを接続している。
【００１５】
左側昇降コード１４Ｌは、左側ウェイトバー１３Ｌの左右方向での一端部１３ＬＥ（右端部）から、左側ウェイトバー１３Ｌの外部に引き出されている。左側ウェイトバー１３Ｌの一端部１３ＬＥは、左側ウェイトバー１３Ｌの左右方向での両端部のうち、右側ウェイトバー１３Ｒと対向する側（右側）の端部である。
【００１６】
左側昇降コード１４Ｌは、左側ウェイトバー１３Ｌの一端部１３ＬＥでの上端面から引き出されている。左側昇降コード１４Ｌは、左側ウェイトバー１３Ｌの一端部１３ＬＥから上方へ延び、左側スクリーン１２Ｌの右端部を通り、それによって、左側ウェイトバー１３Ｌの一端部１３ＬＥと、左側ヘッドボックス１１Ｌとを接続している。
【００１７】
なお、各昇降コード１４Ｒ,１４Ｌは、図１が示すように、各ウェイトバー１３Ｒ,１３Ｌの他端部に固定されて一端部１３ＲＥ,１３ＬＥから引き出されてもよいし、各ウェイトバー１３Ｒ,１３Ｌの一端部１３ＲＥ,１３ＬＥに固定されてもよい。
右側昇降コード１４Ｒは、右側操作コード１５Ｒを下げる操作によって、右側ウェイトバー１３Ｒを上昇させる。右側昇降コード１４Ｒは、右側操作コード１５Ｒを上げる操作によって、右側ウェイトバー１３Ｒを下降させる。左側昇降コード１４Ｌは、左側操作コード１５Ｌを下げる操作によって、左側ウェイトバー１３Ｌを上昇させる。左側昇降コード１４Ｌは、左側操作コード１５Ｌを上げる操作によって、左側ウェイトバー１３Ｌを下降させる。
【００１８】
２体のウェイトバー１３Ｒ，１３Ｌは、機械的に独立し、左右方向に間隔を空けて並んでいる。２本のウェイトバー１３Ｒ，１３Ｌ間の左右方向での間隙Ｗの大きさは、各ウェイトバー１３Ｒ，１３Ｌの上下方向での厚みＴのほぼ２倍である。
【００１９】
［作用］
図１が示すように、各スクリーン１２Ｒ,１２Ｌが閉状態であるときから、各昇降コード１４Ｒ，１４Ｌが各ウェイトバー１３Ｒ，１３Ｌを上昇させるとき、図２が示すように、各ウェイトバー１３Ｒ，１３Ｌの一端部１３ＲＥ，１３ＬＥが、各ウェイトバー１３Ｒ，１３Ｌの他部よりも上位となる姿勢、すなわち、起立姿勢となるように、各ウェイトバー１３Ｒ，１３Ｌは変位しはじめる。各スクリーン１２Ｒ,１２Ｌのなかでウェイトバー１３Ｒ，１３Ｌと接続する下縁もまた、各ウェイトバー１３Ｒ，１３Ｌの起立姿勢への変位に追従し、一端部１３ＲＥ，１３ＬＥと接続する部位が上位となる姿勢に変位する。結果として、各ウェイトバー１３Ｒ，１３Ｌを半径とする扇状に、各スクリーン１２Ｒ,１２Ｌの下部が変形しはじめる。
【００２０】
この際、閉状態でのウェイトバー１３Ｒ，１３Ｌの左右方向での間隙Ｗが、各ウェイトバー１３Ｒ，１３Ｌの厚みＴのほぼ２倍であるため、各ウェイトバー１３Ｒ，１３Ｌは、他のウェイトバー１３Ｒ，１３Ｌとの物理的な干渉を抑えて、円滑に起立姿勢へ変位する。結果として、右側ウェイトバー１３Ｒを一辺とする扇状に右側スクリーン１２Ｒが変形し、左側ウェイトバー１３Ｌを一辺とする扇状に左側スクリーン１２Ｌが変形し、２つの扇状から構成される半円状に２体のスクリーン１２Ｒ,１２Ｌが変形する。
【００２１】
図３が示すように、各昇降コード１４Ｒ，１４Ｌの引き上げが続けられると、各ウェイトバー１３Ｒ，１３Ｌの一端部１３ＲＥ，１３ＬＥが最上位置に到達する。結果として、各スクリーン１２Ｒ,１２Ｌの開状態では、各ヘッドボックス１１Ｒ，１１Ｌを弦とする半円状を２体のスクリーン１２Ｒ,１２Ｌが形成する。なお、各スクリーン１２Ｒ,１２Ｌの開状態から各昇降コード１４Ｒ，１４Ｌが下げられるとき、各ウェイトバー１３Ｒ，１３Ｌの起立姿勢を保ちながら、すなわち、半円状を保ちながら、各スクリーン１２Ｒ,１２Ｌは下降する。そして、各スクリーン１２Ｒ,１２Ｌは、先に説明された図２が示す状態を経て、図１が示す閉状態に再び遷移する。
【００２２】
図４（ａ）は、開状態の左側スクリーン１２Ｌの一部を示す正面図である。図４（ｂ）は、左側スクリーン１２Ｌがハニカムスクリーン１２Ｈである場合の例であり、開状態のハニカムスクリーン１２Ｈを左側から見た側面図である。
【００２３】
図４（ａ）が示すように、開状態の左側スクリーン１２Ｌは、扇状の中心部１２Ｃと、扇状の円弧部１２Ｅとを備える。左側スクリーン１２Ｌの中心部１２Ｃでは、左側スクリーン１２Ｌが折り畳まれている一方で、左側スクリーン１２Ｌの円弧部１２Ｅでは、左側スクリーン１２Ｌが広がっている。この際、左側スクリーン１２Ｌが、ハニカムスクリーン１２Ｈである場合、ハニカムスクリーン１２Ｈを構成する各筒体１２Ｋは、斜め下方に開口Ｈを向ける。そのため、左側スクリーン１２Ｌが、ハニカムスクリーン１２Ｈである場合には、各筒体１２Ｋの内部に位置する塵や埃などを筒体１２Ｋの開口Ｈから落とすことが可能でもある。
【００２４】
図４（ｂ）が示すように、ハニカムスクリーン１２Ｈは、前側スクリーン１２Ｆと、後側スクリーン１２Ｎと、複数の水平部分１２Ｖとを備える。前側スクリーン１２Ｆ、および、後側スクリーン１２Ｎは、山折りと谷折りとが上下方向に交互に繰り返される形状を有する。複数の水平部分１２Ｖは、前側スクリーン１２Ｆの１つ置きの折り目と、後側スクリーン１２Ｎの１つ置きの折り目とを水平方向に沿って連結する。昇降コード１４は、各水平部分１２Ｖに形成された貫通孔に通されている。
【００２５】
上記第１実施形態によれば、以下の効果を得ることが可能である。
（１）右側スクリーン１２Ｒを昇降させるための右側昇降コード１４Ｒが、右側ウェイトバー１３Ｒの一端部１３ＲＥに接続される。そのため、右側ウェイトバー１３Ｒを起立姿勢とすることが可能となる。左側スクリーン１２Ｌを昇降させるための左側昇降コード１４Ｌが、左側ウェイトバー１３Ｌの一端部１３ＬＥに接続される。そのため、左側ウェイトバー１３Ｌを起立姿勢とすること、ひいては、各スクリーン１２Ｒ,１２Ｌに扇状を形成することが可能となる。結果として、各スクリーン１２で扇状を形成することが実現でき、各スクリーン１２Ｒ,１２Ｌの形状による装飾性を向上することが可能となる。
【００２６】
（２）各ウェイトバー１３Ｒ，１３Ｌの一端部１３ＲＥ，１３ＬＥの上端面から、別々に昇降コード１４Ｒ，１４Ｌが上方に延びる。そして、各スクリーン１２Ｒ,１２Ｌが閉状態である場合には、上方に面する上端面から、上方に向けて各昇降コード１４Ｒ，１４Ｌが延びる。結果として、扇状を形成するように構成された遮蔽装置において、各スクリーン１２Ｒ,１２Ｌが閉状態である場合には、各ウェイトバー１３Ｒ,１３Ｌから昇降コード１４Ｒ，１４Ｌを円滑に引き回すことが可能ともなる。
【００２７】
（３）各スクリーン１２Ｒ,１２Ｌがハニカムスクリーン１２Ｈである場合には、開状態のハニカムスクリーン１２Ｈにおいて、各筒体１２Ｋの内部から塵や埃などを落とすことが可能ともなる。
【００２８】
（４）開状態の各スクリーン１２Ｒ,１２Ｌを通る各昇降コード１４Ｒ,１４Ｌは、各スクリーン１２Ｒ,１２Ｌに張力を作用させる。各スクリーン１２Ｒ,１２Ｌに作用する張力は、例えば、円弧部１２Ｅから中心部１２Ｃに向けた応力である。この応力を受ける各スクリーン１２Ｒ,１２Ｌは、本来求められる扇状から形状を崩す場合がある。
この点、各スクリーン１２Ｒ,１２Ｌがハニカムスクリーン１２Ｈである場合には、各水平部分１２Ｖに昇降コード１４Ｒ,１４Ｌが通り、上述した応力を受ける水平部分１２Ｖが、前側スクリーン１２Ｆと後側スクリーン１２Ｎとに覆われて視認され難い。そのため、各スクリーン１２Ｒ,１２Ｌが形成する扇状の美観性を高めること、ひいては、各スクリーン１２Ｒ,１２Ｌの形状による装飾性をさらに高めることが可能ともなる。
【００２９】
（５）各ウェイトバー１３Ｒ，１３Ｌの長手方向が相互に平行となるように、各ウェイトバー１３Ｒ，１３Ｌが起立姿勢に変位し、２つの扇状から構成される半円状を、２体のスクリーン１２Ｒ,１２Ｌが形成する。そのため、相互に独立した２体のウェイトバー１３Ｒ，１３Ｌを備える遮光装置において、各ウェイトバー１３Ｒ，１３Ｌが別々に扇状を形成する一方で、別々の扇状による一体感を遮蔽装置では与えることが可能となる。ひいては、遮蔽装置が備える意匠性を高めることが可能となる。
【００３０】
（６）閉状態でのウェイトバー１３Ｒ，１３Ｌ間の左右方向での間隙Ｗが、各ウェイトバー１３Ｒ，１３Ｌの厚みＴのほぼ２倍であるため、各ウェイトバー１３Ｒ，１３Ｌの起立姿勢への変位を円滑に進行させることが可能ともなる。
【００３１】
なお、上記第１実施形態は、以下のように変更して実施できる。
［第１変形例］
遮蔽装置の第１変形例について、図５から図７を参照して説明する。なお、第１変形例は、遮蔽装置が１体のヘッドボックスを備え、かつ、ウェイトバー１３のなかで昇降コード１４の引き出される部位が、上記第１実施形態とは異なる。以下では、上記第１実施形態と異なる構成を詳細に説明し、上記第１実施形態と重複する構成の説明を割愛する。
【００３２】
図５が示すように、各ウェイトバー１３Ｒ，１３Ｌの左右方向での長さの合計は、スクリーン１２の左右方向での長さよりも間隙Ｗだけ短い。各昇降コード１４Ｒ，１４Ｌは、各ウェイトバー１３Ｒ，１３Ｌの左右方向での一端部１３ＲＥ，１３ＬＥから、各ウェイトバー１３Ｒ，１３Ｌの外部に引き出されている。
【００３３】
各ウェイトバー１３Ｒ，１３Ｌの一端部１３ＲＥ，１３ＬＥにおいて、各昇降コード１４Ｒ，１４Ｌの引き出される部位は、ウェイトバー１３の左右方向での端面である。各昇降コード１４Ｒ，１４Ｌは、各ウェイトバー１３Ｒ，１３Ｌの端面から上方へ延び、スクリーン１２の左右方向のほぼ中央を通り、それによって、各ウェイトバー１３Ｒ，１３Ｌの一端部１３ＲＥ，１３ＬＥと、ヘッドボックス１１とを接続している。各昇降コード１４Ｒ，１４Ｌは、ヘッドボックス１１の内部を通じて、１本の操作コード１５に接続されている。
【００３４】
［作用］
図５が示すように、スクリーン１２が閉状態であるときから、各昇降コード１４Ｒ，１４Ｌが各ウェイトバー１３Ｒ，１３Ｌを上昇させるとき、図６が示すように、各ウェイトバー１３Ｒ，１３Ｌの一端部１３ＲＥ，１３ＬＥが、各ウェイトバー１３Ｒ，１３Ｌの他部よりも上位となる姿勢である起立姿勢に、各ウェイトバー１３Ｒ，１３Ｌは、変位しはじめる。スクリーン１２のなかで各ウェイトバー１３Ｒ，１３Ｌと接続する下縁もまた、各ウェイトバー１３Ｒ，１３Ｌの起立姿勢への変位に追従し、各一端部１３ＲＥ，１３ＬＥと接続された部位が下縁の他部よりも上位となる姿勢に変位する。結果として、各ウェイトバー１３Ｒ，１３Ｌを一辺とする扇状に、スクリーン１２の下部が変形しはじめる。
【００３５】
図７が示すように、各昇降コード１４Ｒ，１４Ｌが上げられ続けると、各ウェイトバー１３Ｒ，１３Ｌの一端部１３ＲＥ，１３ＬＥが最上位置に到達する。結果として、スクリーン１２の開状態では、各ウェイトバー１３Ｒ，１３Ｌを半径とする扇状をスクリーン１２が形成する。すなわち、ヘッドボックス１１を弦とする半円状をスクリーン１２が形成する。なお、スクリーン１２の開状態から各昇降コード１４Ｒ，１４Ｌが下げられるとき、各ウェイトバー１３Ｒ，１３Ｌの起立姿勢を保ちながら、すなわち、半円状を保ちながら、スクリーン１２は下降する。そして、スクリーン１２は、先に説明された図６が示す状態を経て、閉状態に遷移する。
【００３６】
上記第１変形例によれば、以下の効果を得ることが可能である。
（７）各ウェイトバー１３Ｒ，１３Ｌの左右方向での端面から、各昇降コード１４Ｒ，１４Ｌが上方に延びる。そして、起立状態の各ウェイトバー１３Ｒ，１３Ｌでは、上方に面するこの端面から、上方に向けて各昇降コード１４Ｒ，１４Ｌが延びる。結果として、スクリーン１２で扇状を形成しているときに、各ウェイトバー１３Ｒ,１３Ｌの一端部１３ＲＥ,１３ＬＥから昇降コード１４Ｒ,１４Ｌを円滑に引き回すことが可能ともなる。
【００３７】
［第２変形例］
遮蔽装置の第２変形例について図８を参照して説明する。なお、第２変形例は、２体の扇状の配置が、上記第１実施形態とは異なる。以下では、上記第１実施形態と異なる構成を詳細に説明し、上記第１実施形態と重複する構成の説明を割愛する。
【００３８】
図８が示すように、遮蔽装置は、２体のヘッドボックス１１Ｒ，１１Ｌと、遮蔽部材の一例である２体のスクリーン１２Ｒ，１２Ｌと、レールの一例である２体のウェイトバー１３Ｒ，１３Ｌと、２本の昇降コード１４Ｒ，１４Ｌとを備える。右側スクリーン１２Ｒは、右側ヘッドボックス１１Ｒと、右側ウェイトバー１３Ｒとを接続している。左側スクリーン１２Ｌは、左側ヘッドボックス１１Ｌと、左側ウェイトバー１３Ｌとを接続している。２体のヘッドボックス１１Ｒ，１１Ｌは、左右方向に間隔をほぼ空けないで並んでいる。
【００３９】
右側ウェイトバー１３Ｒにおいて、右側昇降コード１４Ｒの引き出される一端部１３ＲＥは、右側ウェイトバー１３Ｒの両端部のうち、左側ウェイトバー１３Ｌの側とは反対側（右側）に位置する。左側ウェイトバー１３Ｌにおいて、左側昇降コード１４Ｌの引き出される一端部１３ＬＥは、左側ウェイトバー１３Ｌの両端部のうち、右側ウェイトバー１３Ｒの側とは反対側（左側）に位置する。
【００４０】
各ウェイトバー１３Ｒ，１３Ｌの一端部１３ＲＥ，１３ＬＥが最上位置に到達すると、各スクリーン１２Ｒ，１２Ｌは、各々の弧を相互に向い合わせる別々の扇状を形成する。すなわち、左右の両方に開くカーテンが、右端および左端にまとめられたような一体感を、遮蔽装置では与えることが可能となる。
【００４１】
（第２実施形態）
遮蔽装置の第２実施形態について、図９から図１１を参照して説明する。
図９が示すように、遮蔽装置は、１体のヘッドボックス１１と、遮蔽部材の一例である１体のスクリーン１２と、レールの一例である１体のウェイトバー１３と、１本の昇降コード１４とを備える。スクリーン１２は、図面左右方向から見て、ハニカム状の筒体を上下方向に連ねるハニカムスクリーンである。
【００４２】
スクリーン１２は、ヘッドボックス１１とウェイトバー１３とに接続されている。スクリーン１２は、ウェイトバー１３の荷重を受け、ウェイトバー１３をほぼ水平にした閉状態で、ヘッドボックス１１に吊り下げられている。ウェイトバー１３の左右方向での長さは、スクリーン１２の左右方向での長さよりも若干短い。昇降コード１４は、ウェイトバー１３の左右方向での一端部１３Ｅ（図中で左端部）から、ウェイトバー１３の外部（図中で左側）に引き出されている。
【００４３】
昇降コード１４は、ウェイトバー１３の一端部１３Ｅにおいて、ウェイトバー１３の左右方向での端面から引き出されている。昇降コード１４は、ウェイトバー１３の一端部１３Ｅから上方へ延び、スクリーン１２の左右方向の一端部（図中で左端部）を通り、それによって、ウェイトバー１３の一端部１３Ｅとヘッドボックス１１とを接続している。昇降コード１４は、ウェイトバー１３の一端部１３Ｅに固定されてもよいし、ウェイトバー１３の図中で右端部に固定されて、一端部１３Ｅから引き出されてもよい。
【００４４】
昇降コード１４は、操作コード１５を下げる操作によって、ウェイトバー１３を上昇させる。また、昇降コード１４は、操作コード１５を上げる操作によって、ウェイトバー１３を下降させる。
【００４５】
［作用］
図９が示すように、スクリーン１２が閉状態であるときから、昇降コード１４がウェイトバー１３を上昇させるとき、図１０が示すように、ウェイトバー１３の一端部１３Ｅがウェイトバー１３の他部よりも上位となる姿勢、すなわち、起立姿勢となるように、ウェイトバー１３は変位しはじめる。スクリーン１２のなかでウェイトバー１３と接続する下縁もまた、ウェイトバー１３の起立姿勢への変位に追従し、一端部１３Ｅと接続する部位が上位となる姿勢に変位する。結果として、スクリーン１２の筒体は、水平方向に対して傾斜しはじめ、ウェイトバー１３を半径とする扇状に、スクリーン１２の下部が変形しはじめる。
【００４６】
この際、スクリーン１２が、ハニカムスクリーンであるため、スクリーン１２を構成する各筒体は、第１実施形態の図４で示したように、斜め下方に開口Ｈを向ける。そのため、各筒体１２Ｋの内部に位置する塵や埃などを、筒体１２Ｋの開口Ｈから落とすことが可能である。なお、第２実施形態でも、昇降コード１４は、各水平部分１２Ｖ（図４参照）に形成された貫通孔に通されている。
【００４７】
図１１が示すように、昇降コード１４が上げられ続けると、ウェイトバー１３の一端部１３Ｅが最上位置に到達する。結果として、スクリーン１２の開状態では、ヘッドボックス１１とウェイトバー１３とを半径とする扇状をスクリーン１２が形成する。なお、スクリーン１２の開状態から昇降コード１４が下げられるとき、ウェイトバー１３は起立姿勢を保ちながら、すなわち、扇状を保ちながら、スクリーン１２は下降する。そして、スクリーン１２は、先に説明された図１０が示す状態を経て、図９が示す閉状態に再び遷移する。
上記第２実施形態によれば、１つのウェイトバー１３を備える遮蔽装置において上記（３）に準じた効果を得ることが可能となる。
【００４８】
なお、上記第２実施形態は、以下のように変更して実施できる。
［第３変形例］
遮蔽装置の第３変形例について、図１２から図１４を参照して説明する。なお、第３変形例は、ウェイトバー１３のなかで昇降コード１４の引き出される部位が、上記第２実施形態とは異なる。以下では、上記第２実施形態と異なる構成を詳細に説明し、上記第２実施形態と重複する構成の説明を割愛する。
【００４９】
図１２が示すように、ウェイトバー１３の長手方向である左右方向での長さは、スクリーン１２の左右方向での長さとほぼ等しい。昇降コード１４は、ウェイトバー１３の左右方向での一端部１３Ｅ（図中で左端部）からウェイトバー１３の外部（図中で左側）に引き出されている。
ウェイトバー１３の一端部１３Ｅにおいて、昇降コード１４の引き出される部位は、ウェイトバー１３の上端面である。昇降コード１４は、ウェイトバー１３の上端面から上方へ延び、スクリーン１２の左右方向の一端部（図中で左端部）を通り、それによって、ウェイトバー１３の一端部１３Ｅとヘッドボックス１１とを接続している。
【００５０】
［作用］
図１２が示すように、スクリーン１２が閉状態であるときから、昇降コード１４がウェイトバー１３を上昇させるとき、図１３が示すように、ウェイトバー１３の一端部１３Ｅが、ウェイトバー１３の他部よりも上位となる姿勢である起立姿勢に、ウェイトバー１３は変位しはじめる。スクリーン１２のなかでウェイトバー１３と接続する下縁もまた、ウェイトバー１３の起立姿勢への変位に追従し、下縁の一端部が下縁の他部よりも上位となる姿勢に変位する。結果として、スクリーン１２の筒体は、水平方向に対して傾斜しはじめ、ウェイトバー１３を一辺とする扇状に、スクリーン１２の下部が変形しはじめる。
【００５１】
図１４が示すように、昇降コード１４が上げられ続けると、ウェイトバー１３の一端部１３Ｅが最上位置に到達する。結果として、スクリーン１２の開状態では、ヘッドボックス１１とウェイトバー１３とを半径とする扇状を、スクリーン１２が形成する。なお、スクリーン１２の開状態から昇降コード１４が下げられるとき、ウェイトバー１３の起立姿勢を保ちながら、すなわち、扇状を保ちながら、スクリーン１２は下降する。そして、スクリーン１２は、先に説明された図１３が示す状態を経て、図１２が示す閉状態に再び遷移する。
【００５２】
上記第３変形例によれば、以下の効果を得ることが可能である。
（１−１）ウェイトバー１３の一端部１３Ｅの上端面から昇降コード１４が上方に延びる。そして、スクリーン１２が閉状態である場合には、上方に面する上端面から、上方に向けて昇降コード１４が延びる。結果として、扇状を形成するように構成された遮蔽装置において、スクリーン１２が閉状態である場合には、ウェイトバー１３の一端部１３Ｅから昇降コード１４を円滑に引き回すことが可能ともなる。
【００５３】
なお、上記実施形態、および、各変形例は、以下のように変更して実施できる。
・上記実施形態、および、各変形例は、適宜組み合わせて実施することも可能である。
・上記実施形態の遮蔽装置、および、各変形例の遮蔽装置を左右方向に並べることによって、全てのスクリーン１２で一体感を有する、新たな幾何学形状や、繰り返し模様を形成することも可能である。
【００５４】
・ハニカムスクリーン１２Ｈの筒体は、例えば、前後方向に延びる形状とすることも可能である。この際、ハニカムスクリーン１２Ｈは、左右方向および上下方向に多数の筒体が連なる構造に具体化することも可能である。
・昇降部は、昇降コード１４Ｒ，１４Ｌに限らず、例えば、ウェイトバーの一端部と、ヘッドボックスとを接続するパンタグラフ機構などのＸ字型昇降リンク機構に具体化することも可能である。要は、各レールの長手方向での一端部をそれ以外の他部よりも上位に配置して各レールを昇降する機能部であればよい。
【００５５】
・操作コード１５は、例えば、無端状のボールチェーンとして構成することも可能である。操作コード１５は、複数の昇降コードに対して共通する１本とすることも可能であり、各昇降コードに１本ずつとすることも可能である。この際、操作コード１５は、ヘッドボックス１１の内部でプーリーに巻き掛けられ、プーリーには、各昇降コード１４Ｒ，１４Ｌの巻き取りと繰り出しとを行う巻取軸が機械的に連結されている。
・遮蔽装置は、プリーツスクリーンに限らず、横型ブラインドなどを含み、遮蔽部材を昇降する装置であればよい。
【符号の説明】
【００５６】
Ｗ…間隙、１１，１１Ｒ，１１Ｌ…ヘッドボックス、１２，１２Ｌ，１２Ｒ…スクリーン、１２Ｈ…ハニカムスクリーン、１２Ｋ…筒体、１２Ｖ…水平部分、１３Ｒ，１３Ｌ…ウェイトバー、１３ＲＥ，１３ＬＥ…一端部、１４Ｒ，１４Ｌ…昇降コード、１５…操作コード。
【図１】
2019002128.tif 000003
【図２】
2019002128.tif 000004
【図３】
2019002128.tif 000005
【図４】
2019002128.tif 000006
【図５】
2019002128.tif 000007
【図６】
2019002128.tif 000008
【図７】
2019002128.tif 000009
【図８】
2019002128.tif 000010
【図９】
2019002128.tif 000011
【図１０】
2019002128.tif 000012
【図１１】
2019002128.tif 000013
【図１２】
2019002128.tif 000014
【図１３】
2019002128.tif 000015
【図１４】
2019002128.tif 000016